(57)【要約】   【課題】  構造を複雑化させることなく、部材を強固に連結する。  【解決手段】  木造建物１０の基礎１２に沿って取り付けられた土台１４の上に直立するように最上階の梁の上端の高さまで通し柱１６が立設される。１階の壁パネル２２は、土台１４および通し柱１６に取り付けられ、さらに、梁２４が、通し柱１６間に水平方向に延び、かつ、その端部が通し柱１６の側部と固定されるとともに、１階の壁パネル２２の上枠と固定される。また、２階の壁パネル２８は、梁２４および通し柱１５に取り付けられ、さらに、小屋梁３０が、通し柱１６間に水平方向に延び、かつ、その端部が通し柱１６の側部と固定されるとともに、２階の壁パネル２８の上枠と固定される。【選択図】  図１
2009057776.tif 000002
【特許請求の範囲】
【請求項１】
基礎に沿って、土台を前記基礎に取り付けるとともに、前記土台の側部とその端部とが固定されるように、大引取り付ける工程と、
前記土台および前記大引を覆うように、１階の階層の床合板と取り付ける工程と、
前記土台の上に、当該土台から直立するように最上階の梁の上端の高さまで延びる通し柱を取り付け、前記土台および前記通し柱に、壁合板および枠を含む１階の階層の壁パネルを取り付けるとともに、前記通し柱間に水平方向に延び、かつ、その端部が前記通し柱の側部と固定される梁と、前記１階の階層の壁パネルの上枠とを固定する工程と、
前記梁の側部とその端部とが固定されるように、根太を取り付ける工程と、
前記梁および前記根太を覆うように、２階以上の階層の床合板を取り付ける工程と、
前記梁および前記通し柱に、壁合板および枠を含む２階以上の階層の壁パネルを取り付けるとともに、前記通し柱間に水平方向に延び、かつ、その端部が前記通し柱の側部と固定される梁と、前記２階以上の階層の壁パネルの上枠とを固定する工程と、
木造建物の階層数に応じて前記根太を取り付ける工程、２階以上の階層の床合板を取り付ける工程、並びに、前記２階以上の階層の壁パネルの取り付けおよび前記２階以上の階層の壁パネルと梁とを固定する工程を繰り返すことを特徴とする木造建物の建築方法。
【請求項２】
前記土台或いは前記梁の上に、その階層の梁の下端の高さまで延びる管柱を取り付け、前記土台或いは前記梁、および、前記管柱或いは前記通し柱に、前記壁パネルを取り付ける工程を備えたことを特徴とする請求項１に記載の建築方法。
【請求項３】
前記１階の階層の壁パネルを取り付ける工程において、
前記１階の階層の壁パネルの縦方向の外枠に、連結部材を取り付け、
前記基礎に固定されかつ当該基礎から土台を経て直立するアンカーボルトと、前記連結部材とを固定するとともに、前記連結部材により前記１階の階層の壁パネルと前記通し柱とを固定することを特徴とする請求項１に記載の建築方法。
【請求項４】
前記１階の階層の壁パネルを取り付ける工程において、
前記１階の階層の壁パネルの縦方向の外枠に、連結部材を取り付け、
前記基礎に固定されかつ当該基礎から土台を経て直立するアンカーボルトと、前記連結部材とを固定するとともに、前記連結部材により前記１階の階層の壁パネルと前記管柱とを固定することを特徴とする請求項２に記載の建築方法。
【請求項５】
前記２階以上の階層の壁パネルを取り付ける工程において、
下の階層の壁パネルの縦方向の外枠に、第１の連結部材を取り付け、
前記２階以上の階層の壁パネルの縦方向の外枠に、第２の連結部材を取り付け、
前記下の階層から梁を経て直立するボルトと、第１の連結部材とを固定するとともに、前記第１の連結部材により、前記下の階層の壁パネルと前記通し柱とを固定するとともに、
前記ボルトと、前記第２の連結部材とを固定するとともに、前記第２の連結部材により、前記２階以上の階層の壁パネルと前記通し柱とを固定することを特徴とする請求項１に記載の建築方法。
【請求項６】
前記２階以上の階層の壁パネルを取り付ける工程において、
下の階層の壁パネルの縦方向の外枠に、第１の連結部材を取り付け、
前記２階以上の階層の壁パネルの縦方向の外枠に、第２の連結部材を取り付け、
前記下の階層から梁を経て直立するボルトと、前記第１の連結部材とを固定するとともに、前記第１の連結部材により、前記下の階層の壁パネルと下の階層の管柱とを固定するとともに、
前記ボルトと、前記第２の連結部材とを固定するとともに、前記第２の連結部材により、前記２階以上の階層の壁パネルと当該２階以上の階層の管柱とを固定することを特徴とする請求項２に記載の建築方法。
【請求項７】
前記連結部材が、断面形状がＬ字状のホールダウン金物であり、前記水平方向に延びる部分に穴部が形成され、前記アンカーボルト或いは前記ボルトを受け入れるように構成されたことを特徴とする請求項３ないし６の何れか一項に記載の建築方法。
【請求項８】
基礎に沿って取り付けられた土台と、
前記土台の上に固定され、当該土台から直立するように最上階の梁の上端の高さまで延びる通し柱と、
前記土台および前記通し柱に取り付けられた壁パネルであって、壁合板および枠を含む１階の階層の壁パネルと、
前記通し柱間に水平方向に延び、かつ、その端部が前記通し柱の側部と固定されるとともに、前記１階の階層の壁パネルの上枠と固定される梁と、
前記梁および前記通し柱に取り付けられた壁パネルであって、壁合板および枠を含む２階以上の階層の壁パネルと、
前記通し柱間に水平方向に延び、かつ、その端部が前記通し柱の側部と固定されるとともに、前記２階以上の階層の壁パネルの上枠と固定される梁と、を備えたことを特徴とする木造建物。
【請求項９】
さらに、前記土台或いは前記梁の上に取り付けられた、その階層の梁の下端の高さまで延びる管柱を備え、
前記土台或いは前記梁、および、前記管柱或いは前記通し柱に、前記壁パネルが取り付けられることを特徴とする請求項８に記載の木造建物。
【請求項１０】
前記１階の階層の壁パネルの外枠に取り付けられた連結部材と、
前記基礎に固定されかつ当該基礎から土台を経て直立するアンカーボルトと、を有し、
前記アンカーボルトと、前記連結部材とが固定されるとともに、前記連結部材により前記１階の階層の壁パネルと前記通し柱とが固定されることを特徴とする請求項８に記載の木造建物。
【請求項１１】
前記１階の階層の壁パネルの外枠に取り付けられた連結部材と、
前記基礎に固定されかつ当該基礎から土台を経て直立するアンカーボルトと、を有し、
前記アンカーボルトと、前記連結部材とが固定されるとともに、前記連結部材により前記１階の階層の壁パネルと前記管柱とが固定されることを特徴とする請求項９に記載の木造建物。
【請求項１２】
前記２階以上の階層より１つ下の階層の壁パネルの外枠に取り付けられた第１の連結部材と、
前記２階以上の階層の壁パネルの外枠に取り付けられた第２の連結部材と、
前記下の階層から梁を経て前記２階以上の階層に直立するボルトと、を有し、
前記ボルトと、前記第１の連結部材とが固定されるとともに、前記第１の連結部材により、前記下の階層の壁パネルと前記通し柱とが固定され、かつ、
前記ボルトと、前記第２の連結部材とが固定されるとともに、前記第２の連結部材により、前記２階以上の階層の壁パネルと前記通し柱とが固定されることを特徴とする請求項８に記載の木造建物。
【請求項１３】
前記２階以上の階層より１つ下の階層の壁パネルの外枠に取り付けられた第１の連結部材と、
前記２階以上の階層の壁パネルの外枠に取り付けられた第２の連結部材と、
前記下の階層から梁を経て前記２階以上の階層に直立するボルトと、を有し、
前記ボルトと、前記第１の連結部材とが固定されるとともに、前記第１の連結部材により、前記下の階層の壁パネルと下の階層の管柱とが固定され、かつ、
前記ボルトと、前記第２の連結部材とが固定されるとともに、前記第２の連結部材により、前記２階以上の階層の壁パネルと前記２階以上の階層の管柱とが固定されることを特徴とする請求項９に記載の木造建物。
【請求項１４】
前記連結部材が、断面形状がＬ字状のホールダウン金物であり、前記水平方向に延びる部分に穴部が形成され、前記アンカーボルト或いは前記ボルトを受け入れるように構成されたことを特徴とする請求項１０ないし１３の何れか一項に記載の木造建物。
【発明の詳細な説明】
【技術分野】
【０００１】
本発明は、木造建物の建築方法および当該建築方法により建築された木造建物に関する。
【背景技術】
【０００２】
いわゆるツーバイフォー工法と称される枠組壁工法は、土台の上に壁パネルを立設して、壁パネルを土台と固定して壁面を構築する。また、床面も大引や床根太の上に床合板を設けることにより構築される。天井面についても同様である。したがって、枠組壁工法は、自身の揺れや力を面（壁面、床面および天井面）で受けて分散させるため耐震性に優れるという利点を有する。
【０００３】
しかしながら、面により力を分散させることができる一方、面と面との接合が不十分であると、優れた耐震性を発揮することができないという問題点もある。
【特許文献１】特開２０００−１１−２３３公報
【特許文献２】特開２００６−２１４１０８公報
【特許文献３】特開２０００−９６７０９号公報
【発明の開示】
【発明が解決しようとする課題】
【０００４】
たとえば、特許文献１には、壁パネルの垂直方向の接合部において、コンクリート製の基礎から壁パネルを経て梁に至るまで延びる金属製の結束金属バンドによって、接合部を強固に固定するような技術が開示されている。
【０００５】
また、特許文献２には、床面の四隅のそれぞれに、最上階に延びる断面形状がＬ字状の通し用パネルを立設し、通し用壁パネルの間に通常の枠付パネルを取り付けるような技術が開示されている。
【０００６】
また、特許文献３には、隣接する柱の間に設けられる方形状の壁面スペースに、端部が特定の形状である壁面パネルを取り付けるような技術が開示されている。
【０００７】
特許文献１に開示された金属バンドによる補強では、壁パネルと壁パネルとの間の垂直方向の連結の強度は改善されない問題がある。また、特許文献２に開示された通し用パネルの使用は構造が複雑化するおそれがある。特許文献３に開示された壁面パネルにおいては、柱との連結の強度が不十分である可能性がある。
【０００８】
本発明は、構造を複雑化させることなく、かつ、部材を強固に連結することができる木材建物の建築方法、および、木造建物を提供することを目的とする。
【課題を解決するための手段】
【０００９】
本発明の目的は、基礎に沿って、土台を前記基礎に取り付けるとともに、前記土台の側部とその端部とが固定されるように、大引取り付ける工程と、
前記土台および前記大引を覆うように、１階の階層の床合板と取り付ける工程と、
前記土台の上に、当該土台から直立するように最上階の梁の上端の高さまで延びる通し柱を取り付け、前記土台および前記通し柱に、壁合板および枠を含む１階の階層の壁パネルを取り付けるとともに、前記通し柱間に水平方向に延び、かつ、その端部が前記通し柱の側部と固定される梁と、前記１階の階層の壁パネルの上枠とを固定する工程と、
前記梁の側部とその端部とが固定されるように、根太を取り付ける工程と、
前記梁および前記根太を覆うように、２階以上の階層の床合板を取り付ける工程と、
前記梁および前記通し柱に、壁合板および枠を含む２階以上の階層の壁パネルを取り付けるとともに、前記通し柱間に水平方向に延び、かつ、その端部が前記通し柱の側部と固定される梁と、前記２階以上の階層の壁パネルの上枠とを固定する工程と、
木造建物の階層数に応じて前記根太を取り付ける工程、２階以上の階層の床合板を取り付ける工程、並びに、前記２階以上の階層の壁パネルの取り付けおよび前記２階以上の階層の壁パネルと梁とを固定する工程を繰り返すことを特徴とする木造建物の建築方法により達成される。
【００１０】
好ましい実施態様においては、前記土台或いは前記梁の上に、その階層の梁の下端の高さまで延びる管柱を取り付け、前記土台或いは前記梁、および、前記管柱或いは前記通し柱に、前記壁パネルを取り付ける工程を備える。
【００１１】
別の好ましい実施態様においては、前記１階の階層の壁パネルを取り付ける工程において、
前記１階の階層の壁パネルの縦方向の外枠に、連結部材を取り付け、
前記基礎に固定されかつ当該基礎から土台を経て直立するアンカーボルトと、前記連結部材とを固定するとともに、前記連結部材により前記１階の階層の壁パネルと前記通し柱とを固定する。
【００１２】
また、別の好ましい実施態様に置いては、前記１階の階層の壁パネルを取り付ける工程において、
前記１階の階層の壁パネルの縦方向の外枠に、連結部材を取り付け、
前記基礎に固定されかつ当該基礎から土台を経て直立するアンカーボルトと、前記連結部材とを固定するとともに、前記連結部材により前記１階の階層の壁パネルと前記管柱とを固定する。
【００１３】
また、好ましい実施態様においては、前記２階以上の階層の壁パネルを取り付ける工程において、
下の階層の壁パネルの縦方向の外枠に、第１の連結部材を取り付け、
前記２階以上の階層の壁パネルの縦方向の外枠に、第２の連結部材を取り付け、
前記下の階層から梁を経て直立するボルトと、第１の連結部材とを固定するとともに、前記第１の連結部材により、前記下の階層の壁パネルと前記通し柱とを固定するとともに、
前記ボルトと、前記第２の連結部材とを固定するとともに、前記第２の連結部材により、前記２階以上の階層の壁パネルと前記通し柱とを固定する。
【００１４】
さらに別の好ましい実施態様においては、前記２階以上の階層の壁パネルを取り付ける工程において、
下の階層の壁パネルの縦方向の外枠に、第１の連結部材を取り付け、
前記２階以上の階層の壁パネルの縦方向の外枠に、第２の連結部材を取り付け、
前記下の階層から梁を経て直立するボルトと、前記第１の連結部材とを固定するとともに、前記第１の連結部材により、前記下の階層の壁パネルと下の階層の管柱とを固定するとともに、
前記ボルトと、前記第２の連結部材とを固定するとともに、前記第２の連結部材により、前記２階以上の階層の壁パネルと当該２階以上の階層の管柱とを固定する。
【００１５】
また、好ましい実施態様においては、前記連結部材が、断面形状がＬ字状のホールダウン金物であり、前記水平方向に延びる部分に穴部が形成され、前記アンカーボルト或いは前記ボルトを受け入れるように構成される。
【００１６】
また、本発明の目的は、基礎に沿って取り付けられた土台と、
前記土台の上に固定され、当該土台から直立するように最上階の梁の上端の高さまで延びる通し柱と、
前記土台および前記通し柱に取り付けられた壁パネルであって、壁合板および枠を含む１階の階層の壁パネルと、
前記通し柱間に水平方向に延び、かつ、その端部が前記通し柱の側部と固定されるとともに、前記１階の階層の壁パネルの上枠と固定される梁と、
前記梁および前記通し柱に取り付けられた壁パネルであって、壁合板および枠を含む２階以上の階層の壁パネルと、
前記通し柱間に水平方向に延び、かつ、その端部が前記通し柱の側部と固定されるとともに、前記２階以上の階層の壁パネルの上枠と固定される梁と、を備えたことを特徴とする木造建物により達成される。
【００１７】
好ましい実施態様においては、さらに、前記土台或いは前記梁の上に取り付けられた、その階層の梁の下端の高さまで延びる管柱を備え、
前記土台或いは前記梁、および、前記管柱或いは前記通し柱に、前記壁パネルが取り付けられる。
【００１８】
別の好ましい実施態様においては、前記１階の階層の壁パネルの外枠に取り付けられた連結部材と、
前記基礎に固定されかつ当該基礎から土台を経て直立するアンカーボルトと、を有し、
前記アンカーボルトと、前記連結部材とが固定されるとともに、前記連結部材により前記１階の階層の壁パネルと前記通し柱とが固定されることを特徴とする請求項８に記載の木造建物。
【００１９】
また、別の好ましい実施態様においては、前記１階の階層の壁パネルの外枠に取り付けられた連結部材と、
前記基礎に固定されかつ当該基礎から土台を経て直立するアンカーボルトと、を有し、
前記アンカーボルトと、前記連結部材とが固定されるとともに、前記連結部材により前記１階の階層の壁パネルと前記管柱とが固定される。
【００２０】
好ましい実施態様においては、前記２階以上の階層より１つ下の階層の壁パネルの外枠に取り付けられた第１の連結部材と、
前記２階以上の階層の壁パネルの外枠に取り付けられた第２の連結部材と、
前記下の階層から梁を経て前記２階以上の階層に直立するボルトと、を有し、
前記ボルトと、前記第１の連結部材とが固定されるとともに、前記第１の連結部材により、前記下の階層の壁パネルと前記通し柱とが固定され、かつ、
前記ボルトと、前記第２の連結部材とが固定されるとともに、前記第２の連結部材により、前記２階以上の階層の壁パネルと前記通し柱とが固定される。
【００２１】
さらに別の好ましい実施態様においては、前記２階以上の階層より１つ下の階層の壁パネルの外枠に取り付けられた第１の連結部材と、
前記２階以上の階層の壁パネルの外枠に取り付けられた第２の連結部材と、
前記下の階層から梁を経て前記２階以上の階層に直立するボルトと、を有し、
前記ボルトと、前記第１の連結部材とが固定されるとともに、前記第１の連結部材により、前記下の階層の壁パネルと下の階層の管柱とが固定され、かつ、
前記ボルトと、前記第２の連結部材とが固定されるとともに、前記第２の連結部材により、前記２階以上の階層の壁パネルと前記２階以上の階層の管柱とが固定される。
【００２２】
また、好ましい実施態様においては、前記連結部材が、断面形状がＬ字状のホールダウン金物であり、前記水平方向に延びる部分に穴部が形成され、前記アンカーボルト或いは前記ボルトを受け入れるように構成される。
【発明の効果】
【００２３】
本発明によれば、構造を複雑化させることなく、かつ、部材を強固に連結することができる木材建物の建築方法、および、木造建物を提供することが可能となる。
【発明を実施するための最良の形態】
【００２４】
以下、添付図面を参照して、本発明の実施の形態について説明する。図１は、本実施の形態にかかる木造建物の建築方法により建築された木造建物の部分をスケルトンで描いた斜視図である。図１は、１階部分および２階部分が完成した段階を示している。また、本明細書においてスケルトンとは、壁パネルの壁合板を除いた状態として、内部構造を見やすくするための図である。本明細書においては、説明の便宜のため、基本的にスケルトンで描いた図面を参照し、必要に応じて、壁合板が取り付けられた状態（現実の外観の状態）の図面も参照する。また、本実施の形態において、木材のサイズを例示的に記載するが、サイズや材質は実施の形態において例示したものに限定されない。
【００２５】
図１に示すように、本実施の形態にかかる木造建物１０は、鉄筋コンクリートなどで作られた基礎１２の上に構築される。基礎１２の上面に沿って土台１４が基礎１２に固定される。
【００２６】
土台１４の上には最上階の梁の上端の高さまで延びる通し柱１６および必要に応じてその階（図１の例では１階）の梁の下端の高さまで延びる管柱１８が土台１４に取り付けられる。また、１階の床面には床合板２０が取り付けられる。
【００２７】
隣接する通し柱１６の間、通し柱１６と管柱１８との間などには、壁パネル２２が取り付けられ、かつ、壁パネル２２の上部には梁２４が取り付けられている。
【００２８】
木造建物１０の２階部分も、１階部分と同様に、床面には床合板１６が取り付けられ、また、通し柱１６の間などに、壁パネル２８が取り付けられる。また、壁パネル２８の上部には小屋梁３０が取り付けられる。
【００２９】
以下、木造建物１０の建築方法にしたがった木造建物の建築工程をより詳細に説明する。図２に示すように、鉄筋コンクリートの基礎１２には、アンカーボルト３２が立設される。アンカーボルト３２には、基礎１２と土台１４とを固定するためのもの、並びに、基礎１２と壁パネル２２および柱（通し柱１６、管柱１８）を固定するホールダウン金物と協働するホールダウン用のもの（ホールダウン用アンカーボルト）が含まれる。
【００３０】
図３は、土台および大引が取り付けられた状態を示す。土台１４および大引３４は、たとえば、９０ｍｍ×９０ｍｍの木材である。大引３４は、たとえば、９１０ｍｍ間隔で配置される。
【００３１】
土台１４と基礎１２とは、図２に示すアンカーボルト３２により固定される。また、土台１４と大引３４とは、たとえば、根太受金物３５により固定される。
【００３２】
図４は、図３に示す状態に床合板を取り付けたものである。床合板２０は、たとえば、２４ｍｍ厚或いは２８ｍｍ厚の合板である。床合板２０は、土台１４および大引３４に釘止めされる。また、床合板２０においては、通し柱１６や管柱１８を立設すべき位置（たとえば、符号３７参照）には切り欠きが形成され、通し柱１６や管柱１８が、土台１４と固定できるようにしている。
【００３３】
次いで、通し柱１６および管柱１８が土台１４に立設される。図５は、四隅の通し柱１６−１〜１６−４およびある面の管柱１８が立設された状態を示す。
【００３４】
実際には、全ての通し柱１６−１〜１６−４および管柱１８を全て立設した上で、次の工程（壁パネルの取り付けおよび梁の取り付け）が行われるとは限らない。たとえば、面ごとに当該面に位置する通し柱１６および管柱１８を立設し、通し柱１６の間、通し柱１６と管柱１８との間に壁パネル２２を取り付けても良い。図５において右手前側の面に、通し柱１６−１および通し柱１６−２が立設され、通し柱１６−１、１６−２との間に、第１の壁パネル２２−１が取り付けられる。次いで、隣接する面（左手前側の面）に、管柱１８が立設され、通し柱１６−２と管柱１８との間に第２の壁パネル２２−２が取り付けられる。その後、さらに、通し柱１６−３が取り付けられ、管柱１８と通し柱１６−３との間に第３の壁パネルが取り付けられる。
【００３５】
図６は、通し柱１６−１、１６−２との間に、第１の壁パネル２２−１を取り付け、かつ、通し柱１６−２と管柱１８との間に第２の壁パネル２２−２を取り付け、その後、通し柱１６−３を立設した状態を示す図である。
【００３６】
通し柱および管柱は、たとえば、９０ｍｍ×９０ｍｍ或いは８９ｍｍ×８９ｍｍの木材である。また、通し柱１６や管柱１８と、土台１４との間は、パイプ金物（ほぞパイプ）およびピンによって固定される。或いは、柱脚金物によって柱１６、１８と土台１４との間が固定されても良い。さらに、後述するように、ホールダウン金物により基礎１２、土台１４、壁パネル２２および柱１６，１８が固定されても良い。
【００３７】
壁パネル２２は、従来のツーバイフォー工法で利用されるものと同等である。より詳細には、図６に示すように壁パネル２２（壁パネル２２−１）は、所定間隔（たとえば、４５５ｍｍ間隔）の縦枠３６、縦枠３６の上端とそれぞれ連結された、横方向に延びる上枠３８、および、縦枠３６の下端のそれぞれと連結された、横方向に延びる下枠４０を有する。また、窓が含まれる場合には、窓枠の下枠となる窓台４２および窓枠の上枠となるマグサ４４を有する。これらはたとえば、３８ｍｍ×８９ｍｍの木材で作られる。外壁側に９ｍｍ〜１２ｍｍの壁合板（図６においては図示せず）が取り付けられ、壁パネルとして完成する。
【００３８】
壁パネル２２と土台１４との間、および、壁パネル２２と通し柱１６或いは管柱１８との間は以下のようにして取り付けられる。
【００３９】
第１の手法は、壁パネル２２をクレーンなどで吊り下げて、柱の間に落とし込んで、壁パネル２２と柱との間や、壁パネル２２と土台１４との間を固定する方法である。たとえば、土台１４から、壁パネル２２および柱１６、１８をホールダウン金物により固定するためのホールダウン用アンカーボルトが突出している場合には、壁パネル２２を上から落とし込む。
【００４０】
図１５は、ホールダウン金物を利用した場合の基礎１２、土台１４、柱１６、１８および壁パネル２２の連結状態を示す略断面図である。図１５に示すように、基礎１２から土台１４を経てホールダウン用アンカーボルト６６が、土台１４から突出している。なお、符号６７は、基礎１２と土台１４とを固定するためのアンカーボルトである。
【００４１】
壁パネル２２の縦の外枠６８にはホールダウン金物７０が取り付けられる。ホールダウン金物７０は、断面形状がＬ字状の金物であり、長辺をなす側の面を柱や壁パネルの外枠６８に密着させて固定し、かつ、上記長辺をなす側の面に垂直な面には穴が形成され、アンカーボルト６７を貫通させることができるようになっている。
【００４２】
また、壁パネル２２には、土台１４から突出したホールダウン用アンカーボルト６６と整合するように穴７２が設けられ、ホールダウン用アンカーボルト６６が、穴７２を通ってホールダウン金物７０と固定できるようになっている。ホールダウン用アンカーボルト６６とホールダウン金物７０とは、六角ナット７４および座金（図示せず）により固定される。さらに、ホールダウン金物７０に釘７５を打ち付けることにより、壁パネル２２と柱１６とが固定される。これにより、基礎１２、土台１４、壁パネル２２および柱１６が固定される。なお、ホールダウン金物７０と、壁パネル２２および柱１６との固定は、釘によるものに限定されず、ラグスクリューや六角ボルトを用いても良い。
【００４３】
第２の手法は、壁パネル２２を寝かせた状態で、その下面と土台１４の上面とを整合させて、壁パネル２２を引き起こし、所定の位置に嵌め込んで配置した後に、壁パネル２２と柱との間や、壁パネル２２と土台１４との間を固定する方法である。この方法は、土台１４に壁パネル２２および柱１６を固定するためのアンカーボルトが突出していない場合に適用することができる。第２の手法では、壁パネル２２と土台１４とは、釘、帯金物などを利用して固定する。また、壁パネル２２と柱との間は釘により固定する。
【００４４】
壁パネル２２を土台１４および柱１６、１８と固定すると、壁パネル２２の上部に梁２４を取り付け、梁２４を壁パネル２２および通し柱１６に固定する。図７は、壁パネル２２−１の上部に梁２４−１が取り付けられ、かつ、壁パネル２２２−２、２２−３の上部に梁２４−２が取り付けられた状態を示す図である。図７に示すように、梁２４（たとえば、梁２４−２）は通し柱１６（たとえば、通し柱１６−２、１６−３）の間にわたって取り付けられる。
【００４５】
梁２４は、たとえば、２３５ｍｍ×９０ｍｍ或いは２３５ｍｍ×８９ｍｍの木材で作られる。梁２４と通し柱１６とは梁受金物にて固定される。また、梁２４と壁パネル２２とは釘で固定される。
【００４６】
なお、上述した第１の手法では、壁パネル２２を上側から柱１６、１８の間に落とし込むため、梁２４は、壁パネル２２の取り付けの後に行われる。その一方、第２の手法では、壁パネル２２を柱１６、１８の間に嵌め込んでいる。したがって、第２の手法では、壁パネル２２の取り付けに先立って、梁２４を、通し柱１６に固定しておいても良い。
【００４７】
上述した手法を繰り返すことで、柱（通し柱１６、管柱１８）の間に壁パネル２２が取り付けられ、かつ、壁パネル２２の上部に通し柱１６をわたる梁２４が取り付けられる。図示しないが、間取りに応じて、間仕切りとなる壁パネルが立設される。間仕切りの壁パネルは、下部においては床に釘止めされる。また、垂直方向の端部では、当該壁パネルが接する他の壁パネルや柱に釘止めされる。
【００４８】
間仕切りの取り付けが終了すると、一方方向の梁と平行するように、所定間隔で、床根太４６が取り付けられる。床根太４６の端部は、他方方向の梁に、根太受金物によって固定される。床根太４６は、たとえば、２３５ｍｍ×８９ｍｍの木材であり、９１０ｍｍ間隔で配置される。図８においては、梁２４−２、２４−４に平行して床根太４６が配置され、その両端部が、それぞれ、梁２４−１、２４−３に固定される。
【００４９】
図９は、図８に状態で壁パネルの壁合板２３も表した斜視図である。壁パネル２２には、そのサイズに応じて、１枚以上の壁合板２３が取り付けられていることが理解できる。この段階で１階部分が完成したことになる。
【００５０】
次いで、梁２４および床根太４６に、２階の床合板２６が取り付けられる。床合板２６は、２４ｍｍ或いは２８ｍｍの合板であり、梁２４および床根太４６に釘止めされる。図１０は、床合板２６が取り付けられた状態を示す図である。
【００５１】
１階部分と同様に、２階部分においても、床合板２６の取り付けの終了後、２階の壁パネル２８が取り付けられる。図１１に示すように、１階部分と同様に、２階の壁パネル２８も、所定間隔の縦枠４８、縦枠４８の上端とそれぞれ連結された、横方向に延びる上枠５０、縦枠４８の下端とそれぞれ連結された、横方向に延びる下枠５２を有する。また、また、窓が含まれる場合には、窓枠の下枠となる窓台５４および窓枠の上枠となるマグサ５６を有する。これら部材のサイズは、１階部分の壁パネル２２のものと同様である。また、壁合板の厚みも１階部分と同様である。
【００５２】
２階部分の壁パネル２８の取り付けも、１階部分と同様に、第１の手法或いは第２の手法で実現できる。すなわち、第１の手法では、壁パネル２６をクレーンなどで吊り下げて、柱の間に落とし込んで、壁パネル２６と柱１６との間や、壁パネル２６と梁２４との間を固定する。特に、ホールダウン金物を利用して、梁２４と、壁パネル２６および柱１６を固定する場合には、第１の手法が適用される。
【００５３】
図１６は、ホールダウン金物を利用した場合の梁２４、柱１６および壁パネル２２、２６の連結状態を示す略断面図である。図１６に示すように、１階部分の壁パネル２２の縦の外枠８２に、ホールダウン金物８２が取り付けられる。ホールダウン金物８２は釘８４により壁パネル２２および柱１６と固定される。ホールダウン金物８２の取り付けは、１階部分の壁パネル２２の取り付けの際に行うことができる。なお、ホールダウン金物８２と、壁パネル２２および柱１６との固定は、釘によるものに限定されず、ラグスクリューや六角ボルトを用いても良い。
【００５４】
ホールダウン金物８２からは垂直方向にボルト８６が延びる。したがって、梁２４にはボルト８６を貫通させる穴８８が形成される。ホールダウン金物８２とボルト８６とは、六角ナット９０および座金（図示せず）により固定される。
【００５５】
２階部分の壁パネル２６の縦の外枠９２にはホールダウン金物９４が取り付けられる。壁パネル２６には、梁２４から突出したボルト８６と整合するように穴が設けられ、ボルト８６が、穴を通ってホールダウン金物９６と固定できるようになっている。ボルト８６とホールダウン金物９４とは、六角ナット９６および座金（図示せず）により固定される。また、ホールダウン金物９４に釘９８を打ち付けることにより、壁パネル２６と柱１６とが固定される。これにより、壁パネル２２、梁２４、壁パネル２６および柱１６が固定される。なお、１階部分のホールダウン金物８２と同様に、ホールダウン金物９６と、壁パネル２６および柱１６との固定は、釘によるものに限定されず、ラグスクリューや六角ボルトを用いても良い。
【００５６】
また、第２の手法では、壁パネル２６を寝かせた状態で、その下面と梁２４の上面とを整合させて、壁パネル２６を引き起こし、所定の位置に嵌め込んで配置した後に、壁パネル２６と柱との間や、壁パネル２６と梁２４との間を固定する
壁パネル２６と柱（たとえば、投柱１６−１〜１６−４）との間は、たとえば、釘止めにより固定され、壁パネル２６と梁２４との間は、釘、ホールダウン金物、帯金物などを利用して固定される。
【００５７】
壁パネル２６を梁２４および柱と固定すると、壁パネル２６の上部に小屋梁３０を取り付け、小屋梁３０を、壁パネル２６および通し柱１６に固定する。小屋梁３０は、たとえば、１８４ｍｍ×８９ｍｍの木材で作られる。また、梁２４と同様に、第１の手法により壁パネル２６を取り付ける場合には、小屋梁３０は、壁パネル２６の取り付けの後に行われる。その一方、第２の手法により壁パネル２６を取り付ける場合には、壁パネル２２の取り付けに先立って、小屋梁３０を、通し柱１６に固定しておいても良い。なお、小屋梁３０の壁パネル２６および通し柱１６への固定は、梁２４の固定と同様である。
【００５８】
全ての２階部分の壁パネル２６および小屋梁３０の取り付けとともに、或いは、これらの取り付けが終了すると、図示しないが、間取りに応じて、間仕切りとなる壁パネルが立設される。間仕切りの壁パネルは、下部においては床に釘止めされる。また、垂直方向の端部では、当該壁パネルが接する他の壁パネルや柱に釘止めされる。
【００５９】
さらに、間仕切りの取り付けが終了すると、一方方向の小屋梁と平行するように、所定間隔で、天井根太５８が取り付けられる。
【００６０】
天井根太５８の端部は、他方方向の小屋梁に、根太受金物によって固定される。天井根太５８は、たとえば、３８ｍｍ×８９ｍｍの木材であり、９１０ｍｍ間隔で配置される。図１２においては、小屋梁３０−２、３０−４に平行して天井根太５８が配置され、その両端部が、それぞれ、小屋梁３０−１、３０−３に固定される。
【００６１】
図１３は、図１２の状態で壁パネルの壁合板も表した斜視図である。この段階で２階部分が完成したことになる。
【００６２】
その後、２階部分の上部に屋根を構築する。本実施の形態においては、屋根梁方式で屋根を構築しているが、これに限定されず、トラス方式や垂木方式など他の方式を採用しても良い。
【００６３】
屋根梁方式では、図１４に示すように、小屋梁３０−１、３０−３のそれぞれに、妻壁パネル６０を取り付け、妻壁パネル６０のそれぞれの頂部付近を屋根梁６２で連結する。次いで、屋根梁６２に沿って、所定間隔で垂木６４を取り付ける。屋根梁６２は、たとえば、２３５ｍｍ×８９ｍｍの木材、垂木６４は、たとえば、１４０ｍｍ×３８ｍｍの木材である。その後、垂木の上部に屋根合板（図示せず）を取り付けることで屋根が完成する。たとえば、屋根合板は、９ｍｍ〜１２ｍｍ厚の針葉樹の合板である。
【００６４】
図１７および図１８は、本実施の形態にかかる木造建物１０の略縦断面図である。図１７は、壁パネル２２に沿った断面を示し、図１８は、通し柱１６に沿った断面を示す。
なお、図１７および図１８においては、１階部分および２階部分のみを示し、屋根部分は省略している。
【００６５】
本実施の形態においては、土台１３と柱（通し柱１６、管柱１８）とを、パイプ金物およびピンにより、或いは、柱脚金物によって固定し、さらに、引き抜き防止のためのホールダウン金物により固定している。これにより、土台１４および柱１６，１８とを強固に固定することができる。
【００６６】
また、壁パネル２２にホールダウン金物７０を取り付け、基礎１２から土台１４を経て延びるホールダウン用アンカーボルト６６とホールダウン金物７０とを固定し、かつ、ホールダウン金物７０を、釘などにより壁パネル２２の外枠６８および柱１６、１８と固定することができる。これにより、基礎１２、土台１４、壁パネル２２および柱１６、１８との間を強固に固定することが可能となる。
【００６７】
また、本実施の形態によれば、最上階の梁の上端の高さまで延びる通し柱１６のほか、ある階（たとえば１階）の梁の下端の高さまで延びる管柱１８を立設し、通し柱１６の間、通し柱１６と管柱１８との間に、壁パネル２２を取り付けることができる。管柱１８を設けることにより、横方向に長い単一の壁パネルを使用する必要が無くなる。したがって、より良好な強度を確保することが可能となる。
【００６８】
本発明は、以上の実施の形態に限定されることなく、特許請求の範囲に記載された発明の範囲内で、種々の変更が可能であり、それらも本発明の範囲内に包含されるものであることは言うまでもない。
【００６９】
たとえば、前記実施の形態においては、木造建物１０の隅部には通し柱が立設されているが、このような構成に限定されず、隅部に管柱が立設されていても良い。
【００７０】
また、前記実施の形態において、床合板の間の継ぎ目は、実（サネ）のあるタイプであっても、実の無いタイプであっても良い。また、実の無いタイプであっては、本実施の形態において図示していないが、床合板を釘打ちするための下地として、合板受材を設ける場合もある。
【図面の簡単な説明】
【００７１】
【図１】図１は、本実施の形態にかかる木造建物の建築方法により建築された木造建物の部分をスケルトンで描いた斜視図である。
【図２】図２は、本実施の形態にかかる木造建物の建築方法において基礎の工程を示す図である。
【図３】図３は、本実施の形態にかかる木造建物の建築方法において土台および大引の取り付け工程を示す図である。
【図４】図４は、本実施の形態にかかる木造建物の建築方法において床合板の取り付け工程を示す図である。
【図５】図５は、本実施の形態にかかる木造建物の建築方法において柱を立設する工程を示す図である。
【図６】図６は、本実施の形態にかかる木造建物の建築方法において壁パネルの取り付け工程を示す図である。
【図７】図７は、本実施の形態にかかる木造建物の建築方法において梁の取り付け工程を示す図である。
【図８】図８は、本実施の形態にかかる木造建物の建築方法において床根太の取り付け工程を示す図である。
【図９】図９は、図８に状態で壁パネルの壁合板も表した斜視図である。
【図１０】図１０は、本実施の形態にかかる木造建物の建築方法において２階部分の床合板の取り付け工程を示す図である。
【図１１】図１１は、本実施の形態にかかる木造建物の建築方法において２階部分の壁パネルの取り付け工程を示す図である。
【図１２】図１２は、本実施の形態にかかる木造建物の建築方法において小屋梁および天井根太の取り付け工程を示す図である。
【図１３】図１３は、図１２に状態で壁パネルの壁合板も表した斜視図である。
【図１４】図１４は、本実施の形態にかかる木造建物の建築方法において屋根の構築工程を示す図である。
【図１５】図１５は、ホールダウン金物を利用した場合の基礎、土台、柱および壁パネルの連結状態を示す略断面図である。
【図１６】図１６は、ホールダウン金物を利用した場合の梁、柱および壁パネルの連結状態を示す略断面図である。
【図１７】図１７は、本実施の形態にかかる木造建物の略縦断面図である。
【図１８】図１８は、本実施の形態にかかる木造建物の略縦断面図である。
【符号の説明】
【００７２】
１０    木造建物
１２    基礎
１４    土台
１６    通し柱
１８    管柱
２０    床合板
２２    壁パネル
２３    壁合板
２４    梁
２６    ２階床合板
２８    ２階壁パネル
３０    小屋梁
３２    アンカーボルト
３４    大引
３６    縦枠
３８    上枠
４０    下枠
４２    窓台
４４    マグサ
４６    床根太
４８    縦枠
５０    上枠
５２    下枠
５４    窓台
５６    マグサ
５８    天井根太
６０    妻壁パネル
６２    屋根梁
６４    垂木
【図１】
2009057776.tif 000003
【図２】
2009057776.tif 000004
【図３】
2009057776.tif 000005
【図４】
2009057776.tif 000006
【図５】
2009057776.tif 000007
【図６】
2009057776.tif 000008
【図７】
2009057776.tif 000009
【図８】
2009057776.tif 000010
【図９】
2009057776.tif 000011
【図１０】
2009057776.tif 000012
【図１１】
2009057776.tif 000013
【図１２】
2009057776.tif 000014
【図１３】
2009057776.tif 000015
【図１４】
2009057776.tif 000016
【図１５】
2009057776.tif 000017
【図１６】
2009057776.tif 000018
【図１７】
2009057776.tif 000019
【図１８】
2009057776.tif 000020